(57)【要約】【課題】既設主ロープ及び新主ロープを弛ませることなく、円滑な主ロープ交換作業を行い得る主ロープ交換方法及び主ロープ繰り出し兼巻き取り装置の提供。【解決手段】上記目的は、既設主ロープ８を巻き取る既設主ロープ巻き取り用ドラム２３と、予め新主ロープを巻き付けた新主ロープ繰り出し用ドラム２４と、既設主ロープ巻き取り用ドラム２３回転ハンドル２５と、新主ロープ繰り出し用ドラム２４から繰り出される新主ロープ１１の繰り出し量を抑制する抑制手段２６を備えた主ロープ繰り出し兼巻き取り装置１７を設け、回転ハンドル２５で回転させて既設主ロープ巻き取り用ドラム２３に既設主ロープ８を巻き取ることで、新主ロープ１１の繰り出し量を抑制しつつ、新主ロープ繰り出し用ドラム２４から新主ロープ１１を繰り出させるようにすることにより、達成できる。【選択図】図１
2005298121.tif 000002
【特許請求の範囲】
【請求項１】
少なくとも、乗りかご用プーリ、巻上機のシーブ及びつり合いおもり用プーリに巻回させてなる既設主ロープの一端を、既設主ロープ巻き取り用ドラムに巻き取り可能に取り付けて、かつ、前記既設主ロープの他端を、新主ロープ繰り出し用ドラムに予め巻き付けてある新主ロープに接続した後、前記既設主ロープ巻き取り用ドラムを回転させることで、前記既設主ロープ巻き取り用ドラムに前記既設主ロープを巻き取ることにより、新主ロープ繰り出し用ドラムから前記新主ロープを繰り出して、その新主ロープを、少なくとも、前記乗りかご用プーリ、前記巻上機のシーブ及び前記つり合いおもり用プーリに巻回させるようにしたエレベーターの主ロープ交換方法において、前記既設主ロープ巻き取り用ドラムを回転させて前記既設主ロープ巻き取り用ドラムに前記既設主ロープを巻き取ることにより、前記新主ロープ繰り出し用ドラムを回転させることで、その新主ロープ繰り出し用ドラムから前記新主ロープを繰り出すと共に、前記新主ロープの繰り出し量を抑制するようにしたことを特徴とするエレベーターの主ロープ交換方法。
【請求項２】
緊急時または作業を一時停止する際に前記既設主ロープ巻き取り用ドラム及び前記新主ロープ繰り出し用ドラムの回転を停止させるようにしたことを特徴とする請求項１記載のエレベーターの主ロープ交換方法。
【請求項３】
既設主ロープを巻き取る既設主ロープ巻き取り用ドラムと、予め新主ロープを巻き付けてある新主ロープ繰り出し用ドラムと、前記既設主ロープ巻き取り用ドラムを回転させる回転手段とを備え、少なくとも、乗りかご用プーリ、巻上機のシーブ及びつり合いおもり用プーリに巻回させてなる既設主ロープの一端を、前記既設主ロープ巻き取り用ドラムに巻き取り可能に取り付け、かつ、前記既設主ロープの他端を、前記新主ロープ繰り出し用ドラムに予め巻き付けてある新主ロープに接続した後、前記回転手段で前記既設主ロープ巻き取り用ドラムを回転させて前記既設主ロープ巻き取り用ドラムに前記既設主ロープを巻き取ることにより、前記新主ロープ繰り出し用ドラムを回転させることで、その新主ロープ繰り出し用ドラムから前記新主ロープを繰り出す構成にすると共に、前記新主ロープ繰り出し用ドラムから繰り出される前記新主ロープの繰り出し量を抑制する抑制手段を設けたことを特徴とするエレベーターの主ロープ繰り出し兼巻き取り装置。
【請求項４】
前記抑制手段は、前記既設主ロープ巻き取り用ドラム及び前記新主ロープ繰り出し用ドラムの上方に設けられる取り付けベース部材と、ボルト部及び断面形状が略コ字状のブラケット部からなるブレーキ部材と、前記ブラケット類を固定する固定手段および押圧力を調整するナットからなる調整手段からなり、前記ブレーキ部材のブラケット部を前記新主ロープ繰り出し用ドラムの外周端縁を押圧可能となるように、前記取り付けベース部材に前記ブレーキ部材のボルト部を利用して螺着させ、しかも、前記ブレーキ部材のブラケット部による前記新主ロープ繰り出し用ドラムの外周端縁への押圧力を、前記調整手段で調整できる構成にしたことを特徴とする請求項３記載のエレベーターの主ロープ繰り出し兼巻き取り装置
【請求項５】
前記ブレーキ部材のブラケット部に、摩耗低減材を設けたことを特徴とする請求項４記載のエレベーターの主ロープ繰り出し兼巻き取り装置。
【請求項６】
緊急時または作業を一時停止する際に前記既設主ロープ巻き取り用ドラム及び前記新主ロープ繰り出し用ドラムの回転を停止させる停止手段を設けたことを特徴とする請求項３記載のエレベーターの主ロープ繰り出し兼巻き取り装置。
【請求項７】
前記停止手段は、前記取り付けベース部材に取り付けられるものであって、ドラムブレーキレバーと、このドラムブレーキレバーに連結されたバーと、このバーに連結されたブラケットとからなり、しかも、前記ドラムブレーキレバーを操作して、前記ブラケットの下面を、前記新主ロープ繰り出し用ドラムの外周端縁及び前記既設主ロープ巻き取り用ドラムの外周端縁に接触させることにより、同一軸上に配置した前記新主ロープ繰り出し用ドラム及び前記既設主ロープ巻き取り用ドラムの両方の回転を同時に停止させる構成にしたことを特徴とする請求項６記載のエレベーターの主ロープ繰り出し兼巻き取り装置。
【請求項８】
前記停止手段は、前記新主ロープ繰り出し用ドラム及び前記既設主ロープ巻き取り用ドラムそれぞれの前記取り付けベース部材に取り付けられるものであって、前記既設主ロープ巻き取り用ドラムはドラムブレーキレバーと、このドラムブレーキレバーに連結されたバーと、このバーに連結されたブラケットと、前記ドラムブレーキレバーを操作した場合に前記新主ロープ繰り出し用ドラムに備えた前記停止手段を動作させる連動手段を備えるのに対し、前記新主ロープ繰り出し用ドラムは前記既設主ロープ巻き取り用ドラムの前記停止手段の操作に連動する連動手段と、前記ドラムブレーキレバーに連結されたバーと、このバーに連結されたブラケットからなり、しかも、前記既設主ロープ巻き取りドラムの前記ドラムブレーキレバーを操作することで、前記新主ロープ繰り出し用ドラムの前記停止手段が連動し、前記したそれぞれのブラケット下面を、前記新主ロープ繰り出し用ドラムの外周端縁及び前記既設主ロープ巻き取り用ドラムの外周端縁に接触させることにより、非同一軸上に配置した前記新主ロープ繰り出し用ドラム及び前記既設主ロープ巻き取り用ドラムの両方の回転を同時に停止させる構成にしたことを特徴とする請求項６記載のエレベーターの主ロープ繰り出し兼巻き取り装置。
【発明の詳細な説明】
【技術分野】
【０００１】
本発明は、エレベーターの主ロープ交換方法及びその交換方法に用いられる主ロープ繰り出し兼巻き取り装置に関するものである。
【背景技術】
【０００２】
従来、巻上機のシーブに巻回されてその両端が昇降路の頂部に支持固定される複数本の既設主ロープと、この既設主ロープの一端と巻上機のシーブとの間で既設主ロープに乗りかご用プーリを係合させて支持される乗りかごと、既設主ロープの他端と巻上機のシーブとの間で既設主ロープにつり合いおもり用プーリを係合させて支持されるつり合いおもりとを、少なくとも備えたエレベーターにおいて、主ロープを交換する場合には、乗りかごを昇降路の頂部近傍に、かつ、つり合いおもりを昇降路の底部近傍に、それぞれ仮保持した状態で、既設主ロープの両端近傍を切断し、その乗りかご側切断端を既設主ロープ巻き取り用ドラムに連結すると共に、そのつり合いおもり側切断端に新主ロープ繰り出し用ドラムに巻回された交換用の新しい主ロープ（以下、新主ロープと称する）の一端を接続した後、巻上機のシーブを回転させることで、既設主ロープを既設主ロープ巻き取り用ドラムに回収しながら新主ロープ繰り出し用ドラムから新主ロープを繰り出して、既設主ロープを新主ロープに交換していくという主ロープ交換方法が採用されていた（例えば、特許文献１参照）。
【特許文献１】特開２００３−２３８０４７号公報（段落番号０００６〜０００８、図４）
【発明の開示】
【発明が解決しようとする課題】
【０００３】
しかしながら、上述した特開２００３−２３８０４７号公報に記載の主ロープ交換方法では、複数個の既設主ロープ巻き取り用ドラムと新主ロープ繰り出し用ドラムを複数個設けて、複数個の既設主ロープを同時に新主ロープに交換しようとした場合、複数個の新主ロープ繰り出し用ドラムへの新主ロープの巻き付け状態の違いなどが起因して、複数個の新主ロープ繰り出し用ドラムの各々から繰り出される新主ロープの長さが異なってしまうことがあると共に、複数個の既設主ロープ巻き取り用ドラムの各々の既設主ロープの巻き取り長さが異なってしまうことがある。そのために、昇降路内に設置された乗りかご用プーリ、巻上機のシーブ、つり合いおもり用プーリなど巻回しながら移動するところの、既設主ロープ及び新主ロープが弛んで、乗りかご用プーリ、巻上機のシーブ、つり合いおもり用プーリなどの溝から外れてしまい、その外れた既設主ロープ及び新主ロープの部分が昇降路内に設置されている機器類に接触してその機器類を損傷させる危険性があるという問題点があった。
【０００４】
本発明の第１目的は、上述の問題点にかんがみ、既設主ロープ及び新主ロープを弛ませることなく、既設主ロープを新主ロープに円滑に交換し得るエレベーターの主ロープ交換方法を提供することにある。
【０００５】
本発明の第２目的は、上述の問題点にかんがみ、既設主ロープ及び新主ロープを弛ませることなく、既設主ロープを巻き取り、かつ、新主ロープを繰り出すことを可能にするエレベーターの主ロープ繰り出し兼巻き取り装置を提供することにある。
【課題を解決するための手段】
【０００６】
上記第１目的を達成するために、第１の発明は、少なくとも、乗りかご用プーリ、巻上機のシーブ及びつり合いおもり用プーリに巻回させてなる既設主ロープの一端を、既設主ロープ巻き取り用ドラムに巻き取り可能に取り付けて、かつ、前記既設主ロープの他端を、新主ロープ繰り出し用ドラムに予め巻き付けてある新主ロープに接続した後、前記既設主ロープ巻き取り用ドラムを回転させることで、前記既設主ロープ巻き取り用ドラムに前記既設主ロープを巻き取ることにより、新主ロープ繰り出し用ドラムから前記新主ロープを繰り出して、その新主ロープを、少なくとも前記乗りかご用プーリ、前記巻上機のシーブ及び前記つり合いおもり用プーリに巻回させるようにしたエレベーターの主ロープ交換方法において、前記既設主ロープ巻き取り用ドラムを回転させて前記既設主ロープ巻き取り用ドラムに前記既設主ロープを巻き取ることにより、前記新主ロープ繰り出し用ドラムを回転させることで、その新主ロープ繰り出し用ドラムから前記新主ロープを繰り出すと共に、前記新主ロープの繰り出し量を抑制するように構成している。
【０００７】
また、上記第１目的を達成するために、緊急時または作業を一時停止する際に前記既設主ロープ巻き取り用ドラム及び前記新主ロープ繰り出し用ドラムの回転を停止させるように構成している。
【０００８】
上記第２目的を達成するために、第２の発明は、既設主ロープを巻き取る既設主ロープ巻き取り用ドラムと、予め新主ロープを巻き付けてある新主ロープ繰り出し用ドラムと、前記既設主ロープ巻き取り用ドラムを回転させる回転手段とを備えたエレベーターの主ロープ繰り出し兼巻き取り装置において、少なくとも、乗りかご用プーリ、巻上機のシーブ及びつり合いおもり用プーリに巻回させてなる既設主ロープの一端を、前記既設主ロープ巻き取り用ドラムに巻き取り可能に取り付け、かつ、前記既設主ロープの他端を、前記新主ロープ繰り出し用ドラムに予め巻き付けてある新主ロープに接続した後、前記回転手段で前記既設主ロープ巻き取り用ドラムを回転させて前記既設主ロープ巻き取り用ドラムに前記既設主ロープを巻き取ることにより、前記新主ロープ繰り出し用ドラムを回転させることで、その新主ロープ繰り出し用ドラムから前記新主ロープを繰り出す構成にすると共に、前記新主ロープ繰り出し用ドラムから繰り出される前記新主ロープの繰り出し量を抑制する抑制手段を設けている。
【０００９】
また、上記第２目的を達成するために、緊急時または作業を一時停止する際に前記既設主ロープ巻き取り用ドラム及び前記新主ロープ繰り出し用ドラムの回転を停止させる停止手段を設けている。
【発明の効果】
【００１０】
上記第１の発明によれば、主ロープ交換作業中における既設主ロープ及び新主ロープの弛みの発生を抑え、昇降路内に設置されている機器類を損傷させることなく、円滑に既設主ロープを新主ロープに交換することのできる主ロープ交換方法を提供できた。
【００１１】
上記第２の発明によれば、既設主ロープ及び新主ロープを弛ませることなく、既設主ロープを円滑に巻き取り、かつ、新主ロープを円滑に繰り出すことを可能にする主ロープ繰り出し兼巻き取り装置を提供できた。
【発明を実施するための最良の形態】
【００１２】
以下、本発明に係るエレベーターの主ロープ交換方法及びその交換方法に用いられる主ロープ繰り出し兼巻き取り装置の実施形態を、図１〜図８に基づいて説明する。
【００１３】
図１は、本発明の一実施形態に係る主ロープ交換作業開始時におけるエレベーターの昇降路の縦断面図である。図２は、本発明の一実施形態に係る既設主ロープ巻き取り用ドラムと新主ロープ繰り出し用ドラムが同一軸上に配置された主ロープ繰り出し兼巻き取り装置を使用した場合のエレベーターの主ロープ交換作業している状態における昇降路の縦断面図である。図３は、本発明の一実施形態に係る既設主ロープ巻き取り用ドラムと新主ロープ繰り出し用ドラムが同一軸上に配置された主ロープ繰り出し兼巻き取り装置の要部正面図である。図４は、本発明の一実施形態に係る既設主ロープ巻き取り用ドラムと新主ロープ繰り出し用ドラムが同一軸上に配置された主ロープ繰り出し兼巻き取り装置の要部側面図である。図５は、本発明の一実施形態に係る主ロープ繰り出し兼巻き取り装置の抑制手段部分の拡大図である。図６は、本発明の一実施形態に係る既設主ロープ巻き取り用ドラムと新主ロープ繰り出し用ドラムが同一軸上に配置された主ロープ繰り出し兼巻き取り装置の停止手段部分の拡大図である。図７は、本発明の一実施形態に係る既設主ロープ巻き取り用ドラムと新主ロープ繰り出し用ドラムが非同一軸上に配置された主ロープ繰り出し兼巻き取り装置の停止手段部分の拡大図である。図８は、本発明の一実施形態に係る主ロープ交換方法の実施手順を示すフローチャートである。
【００１４】
図１及び図２に示す一実施形態のエレベーターでは、機械室レスのエレベーターであって、昇降路１内に立設されたガイドレール２と、このガイドレール２に案内されて昇降路１内を昇降する乗りかご３と、この乗りかご３と相対して昇降路１内を昇降するつり合いおもり４と、昇降路１のピット内底１Ａに設置されている巻上機５と、昇降路１内の頂部１Ｂに設置した上部ビーム６に設けられた２個の転向プーリ７、７Ａと、乗りかご３及びつり合いおもり４を吊り上げる複数本の主ロープ８（以下、既設主ロープ８と称する）とを備えている。
【００１５】
既設主ロープ８は、図１に示すように、乗りかご３の下部に取り付けた乗りかご用プーリ３Ａ、転向プーリ７、巻上機５のシーブ５Ａ、転向プーリ７Ａ、つり合いおもり４の上部に取り付けたつり合いおもり用プーリ４Ａを巻回させると共に、その既設主ロープ８の一端８Ａを上部ビーム６に第１支持具９により、かつ、その既設主ロープ８の他端８Ｂを上部ビーム６に第２支持具１０により、それぞれ固定されている。乗りかご３とつり合いおもり４は、巻上機５のシーブ５Ａを回転させることで、既設主ロープ８を移動させることにより、昇降路１内を相対的に昇降するようにしてある。
【００１６】
図１に示す一実施形態のエレベーターにおける既設主ロープ８を、エレベーターを所有する顧客が所望する新しい主ロープ１１（以下、新主ロープ１１と称する）に交換する場合には、図２に示すように、乗りかご３を昇降路１の頂部１Ｂ近傍に仮設保持するための乗りかご保持部材１２と、つり合いおもり４を昇降路１のピット内底１Ａに仮保持するためのおもり保持部材１３と、上部ビーム６に取り付けられる2個の仮設滑車１４、１５と、巻上機５のシーブ５Ａのブレーキを開放するブレーキ開放手段１６と、既設主ロープ８を巻き取ると同時に新主ロープ１１を繰り出すようにした主ロープ繰り出し兼巻き取り装置１７を、少なくとも、用意する。
【００１７】
乗りかご保持部材１２は、例えば、ワイヤーからなり、そのワイヤーで、乗りかご３の荷重が既設主ロープ８に掛からなくなるように、ガイドレール２のレールブラケット２Ａに乗りかご３を吊ることによって、図２に示すように、乗りかご３を昇降路１の頂部１Ｂ近傍に仮保持するものである。おもり保持部材１３は、例えば、ジャッキサポートからなり、そのジャッキサポートで、つり合いおもり４の荷重が既設主ロープ８に掛からなくなるように、図２に示すように、つり合いおもり４を昇降路１のピット内底１Ａに仮保持するものである。仮設滑車１４、１５は、上部ビーム６からワイヤー１８、１８Ａにより吊り下げるようにしてある。ブレーキ開放手段１６は、図２に示すように、巻上機５に設置して、シーブ５Ａの回転を制御するようにしてある。なお、図１及び図２において、符号１Ｃは、昇降路１の最上階床を、符号１Ｄは、昇降路１の最下階床を、それぞれ表している。
【００１８】
主ロープ繰り出し兼巻き取り装置１７は、図３及び図４に示すように、載置台１９と、この載置台１９に立設した一対のドラム支持部材２０、２１と、ドラム支持部材２０、２１に回転自在に支持された回転軸２２と、この回転軸２２に設けられて既設主ロープ８を巻き取るための３個の既設主ロープ巻き取り用ドラム２３と、この既設主ロープ巻き取り用ドラム２３に隣接させて回転軸２２に設けられ、かつ、予め新主ロープ１１が巻き付けられている３個の新主ロープ繰り出し用ドラム２４と、回転軸２２を手動で回転させるための回転ハンドル２５と、新主ロープ繰り出し用ドラム２４から繰り出される新主ロープ１１の繰り出し量を抑制する抑制手段２６と、既設主ロープ巻き取り用ドラム２３及び新主ロープ繰り出し用ドラム２４の回転を停止させる停止手段２７を、少なくとも備えている。
【００１９】
主ロープ繰り出し兼巻き取り装置１７の既設主ロープ巻き取り用ドラム２３には、乗りかご用プーリ３Ａ、転向プーリ７、シーブ５Ａ、転向プーリ７Ａ及びつり合いおもり用プーリ４Ａに巻回させてなる既設主ロープ８の一端８Ａが、巻き取り可能に取り付けられる。新主ロープ繰り出し用ドラム２４に予め巻き付けてある新主ロープ１１には、乗りかご用プーリ３Ａ、転向プーリ７、シーブ５Ａ、転向プーリ７Ａ及びつり合いおもり用プーリ４Ａに巻回させてなる既設主ロープ８の他端８Ｂが、接続される。新主ロープ繰り出し用ドラム２４に予め巻き付けてある新主ロープ１１の巻き付け方向は、回転ハンドル２５による既設主ロープ巻き取り用ドラム２３の回転によって、その既設主ロープ巻き取り用ドラム２３に既設主ロープ８が巻き取られることで、新主ロープ繰り出し用ドラム２４が回転してその新主ロープ繰り出し用ドラム２４から新主ロープ１１が繰り出されることが可能となる方向としてある。
【００２０】
主ロープ繰り出し兼巻き取り装置１７は、図２に示すように、乗りかご３の上面３Ｂに載置できる大きさ及び形状とし、作業者が乗りかご３の上にて回転ハンドル２５を操作できるようにしてある。既設主ロープ巻き取り用ドラム２３の図３に示す巻き取りドラム径Ｌ１は、可能な限り、最小径となるように設定することにより、回転ハンドル２５による既設主ロープ巻き取り用ドラム２３の回転が円滑に行われるようにしてある。新主ロープ繰り出し用ドラム２４の図３に示す巻き取りドラム径Ｌ２は、新主ロープ１１をその新主ロープ繰り出し用ドラム２４に巻き付けた際、その新主ロープ１１が損傷することのない大きさに設定してある。抑制手段２６は、図３及び図６に示すように、３個の新主ロープ繰り出し用ドラム２４に、それぞれ独立させて１個ずつ設置して、新主ロープ繰り出し用ドラム２４毎に、新主ロープ１１の繰り出し量を調整できるようにしてある。
【００２１】
主ロープ繰り出し兼巻き取り装置１７の載置台１９の下面には、４個のキャスター２８が取り付けられている。ドラム支持部材２０、２１には、回転軸２２を支える軸受け部材２９を支持するための垂直支持部材３０及び傾斜支持部材３１が含まれている。回転軸２２には、３個の既設主ロープ巻き取り用ドラム２３が、それぞれキー(図示せず)によって、固定されている。３個の新主ロープ繰り出し用ドラム２４は、回転軸２２にそれぞれ独立して回転可能となるように、回転軸２２に挿嵌されていると共に、交換作業に必要な長さ分の新主ロープ１１をそれぞれ予め巻き付けるようにしている。回転ハンドル２５は、回転軸２２を手動で回転させることにより、回転軸２２に固定された３個の既設主ロープ巻き取り用ドラム２３を円滑に回転させることができるように、歯車機構３２を介して回転軸２２に連結されている。
【００２２】
主ロープ繰り出し兼巻き取り装置１７の抑制手段２６は、図５に示すように、既設主ロープ巻き取り用ドラム２３及び新主ロープ繰り出し用ドラム２４の上方に設けられる取り付けベース部材３３と、ボルト部３４Ａ及び断面形状が略コ字状のブラケット部３４Ｂからなるブレーキ部材３４と、１個のナット３５と、１個のコイルバネ３６と、１個の蝶ナット３７とを備えている。ブレーキ部材３４は、図５に示すように、ブラケット部３４Ｂで新主ロープ繰り出し用ドラム２４の外周端縁の両耳部を押圧可能となるように、取り付けベース部材３３にボルト部３４Ａを利用して螺着させてある。ブレーキ部材３４のブラケット部３４Ｂと新主ロープ繰り出し用ドラム２４の外周端縁の両耳部との間には、摩耗防止用の摺動用フイルムなどからなる摩耗低減材３８を介在させてある。摩耗低減材３８は、ブラケット部３４Ｂの内面に貼着させてある。
【００２３】
抑制手段２６は、蝶ナット３７を締め付けることで、摺動用フイルム３８を新主ロープ繰り出し用ドラム２４の外周端縁の両耳部に接触させることによって、新主ロープ繰り出し用ドラム２４の回転を抑制する制動力を調整することにより、主ロープ繰り出し用ドラム２４に巻かれた新主ロープ１１の繰り出し量が調整されるようにしてある。取り付けベース部材３３は、ドラム支持部材２０、２１の上方に延在させた取り付け延在部材３９、４０により堅牢に支持される。
【００２４】
既設主ロープ巻き取り用ドラム２３と新主ロープ繰り出し用ドラム２４が同一軸上に配置された主ロープ繰り出し兼巻き取り装置１７の停止手段２７は、図３及び図６に示すように、取り付けベース部材３３の中央に取り付けられており、ドラムブレーキレバー４１と、このドラムブレーキレバー４１に連結されたバー４２と、このバー４２に連結されたブラケット４３とを備えている。この停止手段２７は、ドラムブレーキレバー４１を操作して、ブラケット４３を図６に示す矢印Ｐのように下げることで、そのブラケット４３の下面を、主ロープ繰り出し用ドラム２４の外周端縁の両耳部及び既設主ロープ巻き取り用ドラム２３の外周端縁の両耳部に接触させて制動させることにより、主ロープ繰り出し用ドラム２４及び既設主ロープ巻き取り用ドラム２３の両方の回転を同時に停止させるようにしてある。
【００２５】
また、既設主ロープ巻き取り用ドラム２３と新主ロープ繰り出し用ドラム２４が非同一軸上に配置された主ロープ繰り出し兼巻き取り装置１７の停止手段２７A、２７Ｂは、図７に示すように、既設主ロープ巻き取り用ドラム２３と新主ロープ繰り出し用ドラム２４それぞれの取り付けベース部材３３Ａ、３３Ｂの中央に取り付けられており、既設主ロープ巻き取り用ドラム２３の停止手段２７Aはドラムブレーキレバー４１と、このドラムブレーキレバー４１に連結されたバー４２と、このバー４２に連結されたブラケット４３と、ドラムブレーキレバー４１を操作した場合に新主ロープ繰り出し用ドラム２４に備えた前記停止手段２７を動作させる連動手段４８とを備えている。これに対して、新主ロープ繰り出し用ドラム２４の停止手段２８Ｂは既設主ロープ巻き取り用ドラム２３の停止手段２７の操作に連動する連動手段４８Aと、ドラムブレーキレバー４１に連結されたバー４２と、このバー４２に連結されたブラケット４３とを備えている。この停止手段２７A、２７Ｂは、既設主ロープ巻き取りドラム２３のドラムブレーキレバー４１を操作することで、既設主ロープ巻き取り用ドラム２３の停止手段２７Ａと新主ロープ繰り出し用ドラム２４の停止手段２７Ｂが連動し、各ブラケット４３下面を図７に示す矢印Ｐの方向に下げることで、その各ブラケット４３の下面を、既設主ロープ巻き取り用ドラム２３と新主ロープ繰り出し用ドラム２４の外周端縁の両耳部に接触させて制動させることにより、既設主ロープ巻き取り用ドラム２３及び新主ロープ繰り出し用ドラム２４の両方の回転を同時に停止させるようにしてある。
【００２６】
上述のように構成した主ロープ繰り出し兼巻き取り装置１７を用いたエレベーターの主ロープ交換方法の実施手順は、図８のとおりである。その実施手順の内容を、次に詳説する。
【００２７】
まず、始めに、図８の手順Ｓ１において、乗りかご３上が昇降路１の最上階床１Ｃと同一高さとなるように、乗りかご３を移動させた後、乗りかご３上に設置ベース部材４４を取り付け、かつ、最上階床１Ｃと乗りかご３上とに搬入搬出用プレート４５を渡し、その後、昇降路１の最上階床１Ｃに用意して置いた主ロープ繰り出し兼巻き取り装置１７を押して、搬入搬出用プレート４５上を移動させることにより、乗りかご３上に主ロープ繰り出し兼巻き取り装置１７を搬入して、主ロープ繰り出し兼巻き取り装置１７を乗りかご３上のベース部材４４に固定することで、主ロープ繰り出し兼巻き取り装置１７を乗りかご３上に搬入設置する（図１を参照）。この主ロープ繰り出し兼巻き取り装置１７の搬入設置時に、仮設滑車１４、１５を乗りかご３上に搬入しておく。
【００２８】
次いで、図８の手順Ｓ２として、ガイドレール２のレールブラケット２Ａに乗りかご３を、その乗りかご３の荷重が既設主ロープ８に掛からなくなるように、かつ、乗りかご３に乗った作業者が既設主ロープ８の一端８Ａ及び他端８Ｂを上部ビーム６から取り外すことができる状態となるように、乗りかご保持部材１２を用いて吊ることにより、仮保持する（図２を参照）。
【００２９】
次いで、図８の手順Ｓ３として、つり合いおもり４を、そのつり合いおもり４の荷重が既設主ロープ８に掛からなくなるように、おもり保持部材１３を用いて昇降路１のピット内底１Ａに仮保持する（図２を参照）。
【００３０】
次いで、図８の手順Ｓ４として、巻上機５にブレーキ開放手段１６を設置して、そのブレーキ開放手段１６により、シーブ５Ａに加えられているブレーキを開放させる。
【００３１】
次いで、図８の手順Ｓ５として、仮設滑車１４，１５をワイヤー１８，１８Ａを用いて上部ビーム６に取り付けた後、上部ビーム６から第２支持具１０を取り除くことで、既設主ロープ８の他端８Ｂを上部ビーム６から取り外して、その既設主ロープ８の他端８Ｂを仮設滑車１５に巻回させてから新主ロープ繰り出し用ドラム２４に予め巻き付けられた新主ロープ１１に接続することにより、接続部４６を形成する。
【００３２】
次いで、図８の手順Ｓ６として、上部ビーム６から第１支持具９を取り除くことで、既設主ロープ８の一端８Ａを上部ビーム６から取り外して、その既設主ロープ８の一端８Ａを、仮設滑車１４に巻回させてから既設主ロープ巻き取り用ドラム２３に連結することにより、回転ハンドル２５を回転させた場合に、既設主ロープ８が既設主ロープ巻き取り用ドラム２３に巻き取られるようにする。この場合、回転ハンドル２５による既設主ロープ巻き取り用ドラム２３の回転方向は、その既設主ロープ巻き取り用ドラム２３に既設主ロープ８が巻き取られることで、新主ロープ繰り出し用ドラム２４が回転してその新主ロープ繰り出し用ドラム２４から新主ロープ１１が繰り出されることが可能となる方向としてある。
【００３３】
次いで、図８の手順Ｓ７として、回転ハンドル２５を回転させて、既設主ロープ８を既設主ロープ巻き取り用ドラム２３に巻き取ることにより、新主ロープ繰り出し用ドラム２４から新主ロープ１１を繰り出し、その新主ロープ１１をつり合いおもり用プーリ４Ａ―転向プーリ７Ａ―シーブ５Ａ―転向プーリ７―乗りかご用プーリ３Ａの順で移動させ、新主ロープ１１と既設主ロープ８の他端８Ｂとの接続部４６を仮設滑車１４の近傍まで移動させた状態とする。
【００３４】
次いで、図８の手順Ｓ８として、新主ロープ１１と既設主ロープ８の他端８Ｂとの接続部４６から新主ロープ１１の一端側(以下、一端側１１Ａと称する)を切り離し、その切り離した新主ロープ１１の一端側１１Ａを、第１支持具９を用いて、上部ビーム６に固定した後、新主ロープ繰り出し用ドラム２４に巻かれている新主ロープ１１の他端側を切断して、その新主ロープ１１の他端側を、第２支持具１０を用いて、上部ビーム６に固定する。
【００３５】
次いで、図８の手順Ｓ９として、仮設滑車１４，１５を上部ビーム６から取り除き、その仮設滑車１４、１５を乗りかご３上に置く共に、乗りかご保持部材１２及びおもり保持部材１３を取り除いて、乗りかご３及びつり合いおもり４の仮保持状態を解除する。
【００３６】
次いで、図８の手順Ｓ１０として、巻上機５からブレーキ開放手段１６を取り除き、シーブ５Ａの回転による新主ロープ１１の移動で、乗りかご３を昇降させることができる状態にする。
【００３７】
最後に、図８の手順Ｓ１１として、乗りかご３上が昇降路１の最上階床１Ｃと同一高さとなるように、乗りかご３を移動させた後、最上階床１Ｃと乗りかご３上とに搬入搬出用プレート４５を渡して、主ロープ繰り出し兼巻き取り装置１７を、乗りかご３上から昇降路１の最上階床１Ｃに搬出させ、その後、設置ベース部材４４、搬入搬出用プレート４５及び仮設滑車１４、１５を昇降路１の最上階床１Ｃに搬出して片付けるようにすればよい。
【００３８】
上記主ロープ交換方法によれば、回転ハンドル２５による既設主ロープ巻き取り用ドラム２３の回転により、既設主ロープ巻き取り用ドラム２３に既設主ロープ８を巻き取ることで、新主ロープ繰り出し用ドラム２４が回転してその新主ロープ繰り出し用ドラム２４から新主ロープ１１が繰り出される際、抑制手段２６により、新主ロープ繰り出し用ドラム２４の回転が抑制されるため、新主ロープ１１の繰り出し量が抑制されて、既設主ロープ８及び新主ロープ１１の弛みが生じないので、既設主ロープ８及び新主ロープ１１が弛んで昇降路１内の機器類に接触するという事故が発生することなく、既設主ロープ８を新主ロープ１１に交換する主ロープ交換作業が円滑に行われる。
【００３９】
さらに、上記実施形態の主ロープ繰り出し兼巻き取り装置１７によれば、既設主ロープ８の一端８Ａを既設主ロープ巻き取り用ドラム２３に連結した後、抑制手段２６の蝶ナット３７を締め付けることによって、新主ロープ繰り出し用ドラム２４の回転を抑制することにより、主ロープ繰り出し用ドラム２４に巻かれた新主ロープ１１の繰り出し量を、最適値に設定した後、回転ハンドル２５を回転させて、既設主ロープ８を既設主ロープ巻き取り用ドラム２３に巻き取ることにより、新主ロープ繰り出し用ドラム２４から新主ロープ１１が繰り出すようにすれば、既設主ロープ巻き取り用ドラム２３に巻き付く既設主ロープ８の長さと新主ロープ繰り出し用ドラム２４から繰り出される新主ロープ１１の長さを、略等しくすることができる。したがって、主ロープ繰り出し兼巻き取り装置１７によれば、移動する既設主ロープ８及び新主ロープ１１に、所定のテンションを掛けた状態を保持させることができ、既設主ロープ８及び新主ロープ１１が自重で弛むことなく、既設主ロープ８が既設主ロープ巻き取り用ドラム２３に円滑に巻き取られると共に、新主ロープ１１が新主ロープ繰り出し用ドラム２４から円滑に繰り出されるので、主ロープ交換作業を円滑に行わせることができる。
【００４０】
さらに、主ロープ繰り出し兼巻き取り装置１７によれば、３個の主ロープ繰り出し用ドラム２４にそれぞれ独立して抑制手段２６を設けて、主ロープ繰り出し用ドラム２４毎に最適な新主ロープ１１の繰り出し量を調整することができるため、所定のテンションを掛けた状態を、３個の既設主ロープ８及び新主ロープ１１に対しても、それぞれ保持させることができるので、３個の既設主ロープ８を同時に、新主ロープ１１に交換する作業であっても、その作業を円滑に行うことができる。
【００４１】
さらに、主ロープ繰り出し兼巻き取り装置１７によれば、既設主ロープ８を新主ロープ１１に交換する作業を行なっている最中に、何かの理由によって、その交換作業を中断させたい場合には、停止手段２７のドラムブレーキレバー４１を操作して、ブラケット４３の下面を、３個の主ロープ繰り出し用ドラム２４の外周端縁の両耳部及び３個の既設主ロープ巻き取り用ドラム２３の外周端縁の両耳部に接触させることにより、３個の主ロープ繰り出し用ドラム２４及び３個の既設主ロープ巻き取り用ドラム２３のすべてのドラムの回転を、同時に、かつ、安全に停止させることができる。
【００４２】
上記主ロープ交換方法の実施手順では、手順Ｓ２のごとく、乗りかご３を乗りかご保持部材１２を用いて仮保持した後、手順Ｓ３のごとく、つり合いおもり４をおもり保持部材１３を用いて昇降路１のピット内底１Ａに仮保持するようにしているが、つり合いおもり４をおもり保持部材１３を用いて昇降路１のピット内底１Ａに仮保持した後、乗りかご３を乗りかご保持部材１２を用いて仮保持するようにしてもよい。
【００４３】
上記実施形態によれば、主ロープ繰り出し兼巻き取り装置１７を乗りかご３上に搬入する際及び主ロープ繰り出し兼巻き取り装置１７を乗りかご３上から昇降路１の最上階床１Cに搬出する際、主ロープ繰り出し兼巻き取り装置１７は、キャスター２８によって、搬入搬出用プレート４５上を難なく移動するので、主ロープ交換作業性が向上させることができる。
【００４４】
上記実施形態では、仮設滑車１４、１５などの取り付けを、上部ビーム６としているが、これに限定されない。昇降路１内の頂部１Ｂに設置された強度部材であれば、なんでもよい。また、上記実施形態のエレベーターでは、巻上機５を昇降路１のピット内底１Ａに設置し、かつ、転向プーリ７、７Ａを昇降路１内の頂部１Ｂに設けた上部ビーム６に設置するようにしているが、これに限定されない。転向プーリ７、７Ａがなく、かつ、巻上機５を昇降路１内の頂部１Ｂに設けた上部ビーム６に取り付けるようにした構造のエレベーターにも、上記実施形態の主ロープ繰り出し兼巻き取り装置１７を用いて、既設主ロープ８を新主ロープ１１に交換することができる。
【００４５】
さらに、上記実施形態では、主ロープ繰り出し兼巻き取り装置１７を乗りかご３上に搬入設置した状態で、既設主ロープ８を新主ロープ１１に交換する作業を行うようにしているが、これに限定されない。主ロープ繰り出し兼巻き取り装置１７を、昇降路１の最上階床１Cに設置した状態で、既設主ロープ８を新主ロープ１１に交換する作業を行うようにするようにしてもよい。
【００４６】
さらに、上記実施形態の主ロープ繰り出し兼巻き取り装置１７は、３本の既設主ロープ８を同時に交換する構造にしてあるが、これに限定されない。主ロープ繰り出し兼巻き取り装置１７を、３本以外の複数本の既設主ロープ８を同時に交換できる構造に、あるいは既設主ロープ８を１本交換できる構造にしてもよい。
【００４７】
また、上記実施形態の主ロープ繰り出し兼巻き取り装置１７は、巻き取り時は回転ハンドル２５による手動で巻き取る構造にしているが、これに限定されない。主ロープ繰り出し兼巻き取り装置１７の回転軸２２にモーターを直結させて電動により巻き取れる構造にしてもよい。
【図面の簡単な説明】
【００４８】
【図１】本発明の一実施形態に係る主ロープ交換作業開始時におけるエレベーターの昇降路の縦断面図である。
【図２】本発明の一実施形態に係る既設主ロープ巻き取り用ドラムと新主ロープ繰り出し用ドラムが同一軸上に配置された主ロープ繰り出し兼巻き取り装置を使用した場合のエレベーターの主ロープ交換作業している状態における昇降路の縦断面図である。
【図３】本発明の一実施形態に係る既設主ロープ巻き取り用ドラムと新主ロープ繰り出し用ドラムが同一軸上に配置された主ロープ繰り出し兼巻き取り装置の要部正面図である。
【図４】本発明の一実施形態に係る既設主ロープ巻き取り用ドラムと新主ロープ繰り出し用ドラムが同一軸上に配置された主ロープ繰り出し兼巻き取り装置の要部側面図である。
【図５】本発明の一実施形態に係る主ロープ繰り出し兼巻き取り装置の抑制手段部分の拡大図である。
【図６】本発明の一実施形態に係る既設主ロープ巻き取り用ドラムと新主ロープ繰り出し用ドラムが同一軸上に配置された主ロープ繰り出し兼巻き取り装置の停止手段部分の拡大図である。
【図７】本発明の一実施形態に係る既設主ロープ巻き取り用ドラムと新主ロープ繰り出し用ドラムが非同一軸上に配置された主ロープ繰り出し兼巻き取り装置の停止手段部分の拡大図である。
【図８】本発明の一実施形態に係る主ロープ交換方法の実施手順を示すフローチャートである。
【符号の説明】
【００４９】
１    昇降路
１Ａ  ピット内底
１Ｂ  昇降路内の頂部
２    ガイドレール
２Ａ  レールブラケット
３    乗りかご
３Ａ  乗りかご用プーリ
３Ｂ  乗りかごの上面
４    つり合いおもり
４Ａ  つり合いおもり用プーリ
５    巻上機
５Ａ  シーブ
６    上部ビーム
７、７Ａ    転向プーリ
８    既設主ロープ
８Ａ  既設主ロープの一端
８Ｂ  既設主ロープの他端
９    第１支持具
１０  第２支持具
１１  新主ロープ
１２  乗りかご保持部材
１３  おもり保持部材
１４、１５  仮設滑車
１６  ブレーキ開放手段
１７  主ロープ繰り出し兼巻き取り装置
１８、１８Ａ  ワイヤー
１９  載置台
２０  ドラム支持部材
２１  ドラム支持部材
２２  回転軸
２３  既設主ロープ巻き取り用ドラム
２４  新主ロープ繰り出し用ドラム
２５  回転ハンドル
２６  抑制手段
２７  停止手段
２７Ａ  既設主ロープ巻き取り用ドラムの停止手段
２７Ｂ  新主ロープ繰り出し用ドラムの停止手段
２８  キャスター
２９  軸受け部材
３０  垂直支持部材
３１  傾斜支持部材
３２  歯車機構
３３  取り付けベース部材
３３Ａ  既設主ロープ巻き取り用取り付けベース部材
３３Ｂ  新主ロープ送り出し用取り付けベース部材
３４  ブレーキ部材
３４Ａ  ボルト部
３４Ｂ  ブラケット部
３５  ナット
３６  コイルバネ
３７  蝶ナット
３８  摺動用フイルム
３９  取り付け延在部材
４０  取り付け延在部材
４１  ドラムブレーキレバー
４２  バー
４３  ブラケット
４４  設置ベース部材
４５  搬入搬出用プレート
４６  接続部
４７  ドラムブレーキ稼働部
４８  ドラムブレーキ連動手段
【図１】
2005298121.tif 000003
【図２】
2005298121.tif 000004
【図３】
2005298121.tif 000005
【図４】
2005298121.tif 000006
【図５】
2005298121.tif 000007
【図６】
2005298121.tif 000008
【図７】
2005298121.tif 000009
【図８】
2005298121.tif 000010